(57)【要約】【課題】ジョブを示す情報を円滑に入力することができる画像形成装置、及び画像形成システムを提供する。【解決手段】画像形成装置１００は、複数の機能を実現可能である。画像形成装置１００は、入力部３と、制御部１１ａと、判定部１１ｅと、複合機能作成部１１ｃとを備える。入力部３は、ジョブを示す情報の入力を受け付ける。制御部１１ａは、ジョブを実行する。判定部１１ｅは、特定ジョブが所定回数以上実行されたか否かを判定する。複合機能作成部１１ｃは、判定部１１ｅの判定結果に基づいて、複数の機能のうち、特定の２つ以上の機能で構成される複合機能を作成する。ジョブは、複数の機能の一部又は全部を実現するジョブを示す。特定ジョブは、特定の２つ以上の機能を含む。【選択図】図３
2019118052.tif 000002
【特許請求の範囲】
【請求項１】
複数の機能を実現可能な画像形成装置であって、
ジョブを示す情報の入力を受け付ける入力部と、
前記ジョブを実行する制御部と、
特定ジョブが所定回数以上実行されたか否かを判定する判定部と、
前記判定部の判定結果に基づいて、前記複数の機能のうち、特定の２つ以上の機能で構成される複合機能を作成する複合機能作成部と
を備え、
前記ジョブは、前記複数の機能の一部又は全部を実現するジョブを示し、
前記特定ジョブは、前記特定の２つ以上の機能を含む、画像形成装置。
【請求項２】
ジョブ記録を記憶する第１記憶部をさらに備え、
前記ジョブ記録は、複数のジョブ情報を含み、
前記複数のジョブ情報は、それぞれ、過去に実行された複数の前記ジョブに対応し、
前記複数のジョブ情報の各々は、過去に実行された前記ジョブと、前記複数の機能のうち、前記過去に実行されたジョブにより実現された機能とを対応付けた情報を示す、請求項１に記載の画像形成装置。
【請求項３】
最新の前記ジョブ記録を作成する情報作成部をさらに備え、
前記制御部が最新の前記ジョブを実行すると、前記情報作成部が、前記最新のジョブに対応した最新の前記ジョブ情報を作成し、前記最新のジョブ情報を前記ジョブ記録に追加して、前記最新のジョブ記録を作成する、請求項２に記載の画像形成装置。
【請求項４】
前記情報作成部が前記最新のジョブ記録を作成すると、前記判定部は、前記最新のジョブ記録に基づいて、前記特定ジョブが所定回数以上実行されたか否かを判定する、請求項３に記載の画像形成装置。
【請求項５】
表示部と、通知部とをさらに備え、
前記複合機能作成部が前記複合機能を作成すると、前記複合機能が作成されたことを示す情報を前記表示部が表示するように、前記通知部が前記表示部を制御する、請求項１から請求項４のいずれか１項に記載の画像形成装置。
【請求項６】
選択画面を表示する表示部をさらに備え、
前記選択画面は、前記複数の機能の表示を含み、
前記複合機能作成部が前記複合機能を作成すると、前記選択画面が前記複合機能の表示を含むように、前記制御部が前記表示部を制御し、
前記複合機能が前記入力部を介して選択されると、前記制御部が前記特定の２つ以上の機能を実現する、請求項１から請求項５のいずれか１項に記載の画像形成装置。
【請求項７】
請求項１から請求項６のいずれか１項に記載の画像形成装置と、
前記複合機能の名称を決定する決定部と、
名称情報を記憶する第２記憶部と
を備え、
前記名称情報は、過去に作成された複数の前記複合機能のそれぞれに対して決定された名称を示し、
前記複合機能作成部が最新の前記複合機能を作成すると、前記決定部は、前記名称情報に基づいて、前記最新の複合機能の名称を決定する、画像形成システム。
【請求項８】
選択画面を表示する表示部をさらに備え、
前記選択画面は、前記複数の機能の表示を含み、
前記決定部が前記複合機能の名称を決定すると、前記選択画面が前記複合機能の名称の表示を含むように、前記制御部が前記表示部を制御し、
前記複合機能の名称が前記入力部を介して選択されると、前記制御部が前記特定の２つ以上の機能を実現する、請求項７に記載の画像形成システム。
【発明の詳細な説明】
【技術分野】
【０００１】
本発明は、画像形成装置、及び画像形成システムに関する。
【背景技術】
【０００２】
特許文献１に記載の画像形成装置は、表示部を有する。表示部は、複数の機能を表示する。表示部は、第１画面と第２画面とに切換え可能である。表示部は、複数の基本機能の中からユーザーにより選択された機能を第１画面に表示させる。表示部は、ユーザーにより選択されなかった機能を第２画面に表示させる。ユーザーは、表示部に表示された機能を選択し、機能を実現するジョブを示す情報を入力する。
【先行技術文献】
【特許文献】
【０００３】
【特許文献１】特開２００２−２０２６９２号公報
【発明の概要】
【発明が解決しようとする課題】
【０００４】
しかし、ユーザーは、複数の機能を使用する場合、機能を選択する動作を複数回行う必要がある。従って、特定の２つ以上の機能を高頻度に使用する場合、ユーザーは、機能を選択する動作を、機能毎に繰り返し行っていた。その結果、ジョブを示す情報を入力する作業を円滑に行うことが困難となるおそれがあった。
【０００５】
本発明は、上記課題に鑑みてなされたものであり、ジョブを示す情報を円滑に入力することができる画像形成装置、及び画像形成システムを提供することを目的としている。
【課題を解決するための手段】
【０００６】
本発明の一局面によれば、画像形成装置は、複数の機能を実現可能である。画像形成装置は、入力部と、制御部と、判定部と、複合機能作成部とを備える。入力部は、ジョブを示す情報の入力を受け付ける。制御部は、前記ジョブを実行する。判定部は、特定ジョブが所定回数以上実行されたか否かを判定する。複合機能作成部は、前記判定部の判定結果に基づいて、前記複数の機能のうち、特定の２つ以上の機能で構成される複合機能を作成する。前記ジョブは、前記複数の機能の一部又は全部を実現するジョブを示す。前記特定ジョブは、前記特定の２つ以上の機能を含む。
【０００７】
本発明の他の局面によれば、画像形成システムは、上記画像形成装置と、決定部と、第２記憶部とを備える。決定部は、前記複合機能の名称を決定する。第２記憶部は、名称情報を記憶する。前記名称情報は、過去に作成された前記複合機能毎に、前記名称を対応付けた情報を示す。前記複合機能作成部が最新の前記複合機能を作成すると、前記決定部は、前記名称情報に基づいて、前記最新の複合機能の名称を決定する。
【発明の効果】
【０００８】
本発明によれば、ジョブを示す情報を円滑に入力することができる。
【図面の簡単な説明】
【０００９】
【図１】本発明の第１実施形態に係る画像形成装置の模式的断面図である。
【図２】表示部を示す図である。
【図３】画像形成装置を示すブロック図である。
【図４】ジョブ記録を示す図である。
【図５】制御装置の動作を示す第１のフローチャートである。
【図６】制御装置の動作を示す第２のフローチャートである。
【図７】最新のジョブ記録を示す図である。
【図８】特定ジョブの種類と、特定ジョブで実現される機能と、特定ジョブに該当するジョブと、特定ジョブの実行回数との関係を示す図である。
【図９】第１複合機能の作成後の選択画面を示す図である。
【図１０】本発明の第２実施形態に係る画像形成システムを示す図である。
【図１１】名称情報を示す図である。
【図１２】制御装置の動作を示す第３のフローチャートである。
【図１３】名称付与処理を示すフローチャートである。
【図１４】第１複合機能に名称が付与された後の選択画面を示す図である。
【発明を実施するための形態】
【００１０】
本発明の実施形態について、図面を参照しながら説明する。なお、図中、同一又は相当部分については同一の参照符号を付して説明を繰り返さない。
【００１１】
［第１実施形態］
図１を参照して、本発明の第１実施形態である画像形成装置１００について説明する。図１は、画像形成装置１００の模式的断面図である。
【００１２】
図１に示すように、画像形成装置１００は複数の機能を実現可能である。複数の機能の各々は、例えば、画像形成装置１００の各要素が単独又は協働して実現する機能を示す。複数の機能は、例えば、コピー機能、スキャナー機能、ファクシミリ機能、拡大／縮小印刷機能、両面印刷機能、分割印刷機能、集約印刷機能、及びソート機能のうちの、少なくとも２つの機能を示す。第１実施形態では、複数の機能は、第１機能〜第５機能で構成される。従って、第１実施形態の画像形成装置１００は、第１機能〜第５機能を実現可能である。
【００１３】
画像形成装置１００は、具体的には、搬送部１と、読取部２と、入力部３と、筐体４と、カセット５と、給送ローラー６と、搬送ローラー７と、画像形成部８と、排出ローラー９と、記憶部（第１記憶部）１０と、制御装置１１とを備える。
【００１４】
搬送部１は、読取部２に向けてシートを搬送する。読取部２は、シートに形成された画像を走査して、画像を表す画像データを取得する。
【００１５】
入力部３は、例えば、表示部３ａと、操作キー群３ｂとを含む。入力部３は、ジョブを示す情報の入力を受け付ける。ジョブは、複数の機能の一部又は全部を実現するジョブを示す。ジョブを示す情報は、入力部３を介して制御装置１１に入力される。ジョブを示す情報を入力することは、入力部３を介して所望の機能を選択することを示す。
【００１６】
筐体４は、カセット５と、給送ローラー６と、搬送ローラー７と、画像形成部８と、排出ローラー９と、画像形成装置１００とを収容する。
【００１７】
カセット５は、シートを収容する。給送ローラー６は、カセット５内のシートを送出する。搬送ローラー７は、給送ローラー６から搬送されたシートを、画像形成部８に向けて送出する。
【００１８】
画像形成部８は、シートに画像を形成する。画像は、具体的には、トナー画像を示す。画像形成部８は、感光体ドラムと、帯電部と、露光部と、現像部と、転写部と、クリーニング部と、除電部とを含む。感光体ドラム、帯電部、露光部、現像部、及び転写部によって、シートに画像が形成される。クリーニング部は、感光体ドラムの表面に残留しているトナーを除去する。除電部は、感光体ドラムの表面の残留電荷を除去する。画像形成部８は、シートに画像を形成した後、シートを定着部に向けて送出する。定着部は、画像を加熱及び加圧してシートに定着させる。
【００１９】
排出ローラー９は、画像形成部８を通過したシートを筐体４の外部へ排出する。
【００２０】
次に、図２を参照して、表示部３ａについて説明する。図２は、表示部３ａを示す図である。
【００２１】
図２に示すように、表示部３ａは、例えば、ＬＣＤ（Ｌｉｑｕｉｄ  Ｃｒｙｓｔａｌ  Ｄｉｓｐｌａｙ）、又はＥＬＤ（Ｅｌｅｃｔｒｏ  Ｌｕｍｉｎｅｓｃｅｎｃｅ  Ｄｉｓｐｌａｙ）のようなディスプレーである。表示部３ａは、種々の情報を表示する。表示部３ａは、タッチパネルであってもよい。表示部３ａは、所定の位置に設置される。所定の位置は、入力部３を操作するユーザーが視認可能な位置を示す。
【００２２】
表示部３ａは、選択画面３ｃを表示する。選択画面３ｃは、表示部３ａが表示可能な画面のうちの１つを示す。選択画面３ｃは、入力部３を介してジョブを示す情報が入力される際に、表示部３ａに表示される画面を示す。選択画面３ｃは、複数の機能の表示を含む。つまり、選択画面３ｃは、ジョブで実現することができる機能の表示を含む。第１実施形態では、選択画面３ｃは、第１機能〜第５機能の表示を含む。
【００２３】
ユーザーは、選択画面３ｃの表示に基づいて、所望の機能を選択する。なお、選択画面３ｃが１画面に収まらず、所望の機能の表示が選択画面３ｃに含まれない場合、ユーザーは、選択画面３ｃをスクロールさせ、又は選択画面３ｃの表示範囲を切り替えて、所望の機能の表示を選択画面３ｃに含ませる。そして、所望の機能の表示が選択画面３ｃに含まれると、ユーザーは、入力部３を介して所望の機能を選択する。なお、表示部３ａがタッチパネルの場合、ユーザーは、例えば、選択画面３ｃ上の所望の機能の表示をタッチ操作して、所望の機能を選択する。その結果、所望の機能を実現するジョブを示す情報が、入力部３を介して入力される。
【００２４】
次に、図３を参照して、画像形成装置１００についてさらに説明する。図３は、画像形成装置１００を示すブロック図である。
【００２５】
図３に示すように、記憶部１０は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）を含み、補助記憶装置（例えば、ハードディスクドライブ）をさらに含んでもよい。主記憶装置及び／又は補助記憶装置は、制御装置１１によって実行される種々のプログラム（コンピュータープログラム）を記憶する。
【００２６】
制御装置１１は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなプロセッサーを含む。制御装置１１は、画像形成装置１００の各要素を制御する。具体的には、制御装置１１のプロセッサーは、記憶部１０に記憶されたプログラムを実行することにより、搬送部１と、読取部２と、入力部３と、給送ローラー６と、搬送ローラー７と、画像形成部８と、排出ローラー９と、記憶部１０とを制御する。
【００２７】
制御装置１１は、制御部１１ａと、情報作成部１１ｂと、複合機能作成部１１ｃと、通知部１１ｄと、判定部１１ｅとを有する。具体的には、制御装置１１のプロセッサーが、記憶部１０に記憶されたプログラムを実行することにより、制御部１１ａ、情報作成部１１ｂ、複合機能作成部１１ｃ、通知部１１ｄ、及び判定部１１ｅとして機能する。
【００２８】
記憶部１０は、複数のプログラム１２を記憶する。また、記憶部１０は、ジョブ記録１３を記録する。
【００２９】
制御装置１１が、複数のプログラム１２のうち１つを実行することにより、複数の機能のうち１つが実現される。つまり、複数のプログラム１２は、それぞれ、複数の機能に対応する。
【００３０】
第１実施形態では、複数のプログラム１２は、第１プログラムα１〜第５プログラムα５で構成される。また、第ｎプログラムαｎは、複数の機能のうち、第ｎ機能に対応する。すなわち、第ｎプログラムαｎが実行されると、第ｎ機能が実現される。ｎは、１以上、５以下の整数である。
【００３１】
次に、図４を参照して、ジョブ記録１３について説明する。図４は、ジョブ記録１３を示す図である。
【００３２】
図４に示すように、ジョブ記録１３は、過去に実行された複数のジョブの記録である。ジョブ記録１３は、複数のジョブ情報１４を含む。複数のジョブ情報１４は、それぞれ、過去に実行された複数のジョブに対応する。複数のジョブ情報１４の各々は、過去に実行されたジョブと、複数の機能のうち、過去に実行されたジョブに含まれる機能とを対応付けた情報を示す。ジョブに含まれる機能は、ジョブが実行されると、実現される機能を示す。
【００３３】
第１実施形態のジョブ記録１３は、過去に実行された第１ジョブ〜第５ジョブの記録である。ジョブ記録１３は、第１ジョブのジョブ情報１４ａと、第２ジョブのジョブ情報１４ｂと、第３ジョブのジョブ情報１４ｃと、第４ジョブのジョブ情報１４ｄと、第５ジョブのジョブ情報１４ｅとを含む。ジョブ記録１３において、「１」の表示は、所定ジョブに対し「１」の表示を介して対応する機能が所定ジョブに含まれることを示す。これに対し、「０」の表示は、所定ジョブに対し「０」の表示を介して対応する機能が所定ジョブに含まれないことを示す所定ジョブは、ジョブ記録１３に示される複数のジョブのうちのいずれかのジョブを示す。例えば、第１ジョブは、第１機能と、第２機能と、第５機能とを含む。これに対し、第１ジョブは、第３機能と、第４機能とを含まない。従って、第１ジョブは、第１機能と、第２機能と、第５機能とを実現するジョブを示す。
【００３４】
次に、図５〜図９を参照して、制御装置１１の動作について説明する。図５は、制御装置１１の動作を示す第１のフローチャートである。図６は、制御装置１１の動作を示す第２のフローチャートである。
【００３５】
図５に示すように、ステップＳ１において、入力部３は、第６ジョブを示す情報の入力を受け付ける。第６ジョブは、第１機能と、第２機能とを実現するジョブを示す。つまり、第６ジョブは、第１機能と、第２機能とを含む。
【００３６】
ステップＳ２において、制御部１１ａは、第６ジョブを実行する。詳細には、制御部１１ａは、入力部３を介して入力された第６ジョブを実行する。ジョブを実行するとは、ジョブに含まれる機能を実現することを示す。従って、制御部１１ａは、第１機能と、第２機能とを実現する。
【００３７】
ステップＳ３において、情報作成部１１ｂは、最新のジョブ情報１４ｆを作成する。最新のジョブ情報１４ｆは、最新のジョブに対応したジョブ情報を示す。つまり、最新のジョブ情報１４ｆは、最新のジョブと、複数の機能のうち、最新のジョブにより実現されたジョブとを対応付けた情報を示す。第１実施形態では、最新のジョブは、第６ジョブである。従って、情報作成部１１ｂは、第６ジョブに対応した第６ジョブ情報を、最新のジョブ情報１４ｆとして作成する。
【００３８】
図７は、最新のジョブ記録１３ａを示す図である。図５及び図７を参照して、最新のジョブ記録１３ａについて説明する。
【００３９】
図５及び図７に示すように、ステップＳ４において、情報作成部１１ｂは、最新のジョブ情報をジョブ記録１３に追加する。つまり、情報作成部１１ｂは、最新のジョブ情報を記憶部１０に記憶させる。第１実施形態では、第６ジョブ情報が最新のジョブ情報１４ｆである。従って、情報作成部１１ｂは、第６ジョブ情報をジョブ記録１３に追加する。その結果、最新のジョブ記録１３ａが作成される。最新のジョブ記録１３ａは、過去のジョブ記録１３（図４参照）に対し、最新のジョブ情報１４ｆである第６ジョブ情報が追加されている点で異なる。
【００４０】
第６ジョブは、第１機能と、第２機能とを含む。従って、最新のジョブ記録１３ａの第６ジョブ情報において、第１機能の欄と、第２機能の欄とが「１」になり、第３機能の欄〜第５機能の欄は「０」になる。
【００４１】
図８は、特定ジョブの種類と、特定ジョブで実現される機能と、特定ジョブに該当するジョブと、特定ジョブの実行回数との関係を示す図である。図６〜図８を参照して、ステップＳ５について説明する。
【００４２】
図６に示すように、ステップＳ５において、判定部１１ｅは、特定ジョブが所定回数以上実行されたか否かを判定する。特定ジョブは、複数の機能のうち、少なくとも、特定の２つ以上の機能を実現するジョブを示す。すなわち、特定ジョブは、特定の２つ以上の機能を含む。
【００４３】
図８に示すように、第１実施形態では、特定ジョブは、第１特定ジョブ〜第１０特定ジョブで構成される。
【００４４】
例えば、第１特定ジョブは、複数の機能のうち、第１機能と、第２機能とを含む。従って、第１特定ジョブにおいて、特定の２つ以上の機能は、第１機能と、第２機能とを示す。また、図７、及び図８に示すように、最新のジョブ記録１３ａによると、第１ジョブと、第２ジョブと、第５ジョブと、第６ジョブとが、第１特定ジョブに該当する。従って、第１特定ジョブが４つのジョブ（第１ジョブ、第２ジョブ、第５ジョブ、及び第６ジョブ）で実行されているので、第１特定ジョブの実行回数は、４回になる。
【００４５】
なお、第１実施形態では、複数の機能のうち、特定の２つの機能を含むジョブを、特定ジョブとした。しかし、本発明は、これに限定されない。特定ジョブは、複数の機能のうち、特定の２つ以上の機能を含んでいればよい。特定ジョブは、例えば、複数の機能のうち、特定の３つの機能を含んでいてもよい。
【００４６】
上記のように、第１実施形態では、特定ジョブは、第１特定ジョブ〜第１０特定ジョブで構成される。従って、複合機能作成部１１ｃは、第ｎ特定ジョブ（第１特定ジョブ〜第１０特定ジョブ）が所定回数以上実行されたか否かを判定する。具体的には、複合機能作成部１１ｃは、最新のジョブ記録１３ａに基づいて、第ｎ特定ジョブが所定回数以上実行されたか否かを判定する。ｎは、１以上、１０以下の整数である。
【００４７】
所定回数は、予め設定される。所定回数を示す情報は、記憶部１０に記憶される。第１実施形態では、所定回数は、４回に設定される。
【００４８】
第１実施形態では、判定部１１ｅは、第１特定ジョブが４回数以上実行されたか否かを判定する。第１特定ジョブの実行回数は、４回である（図８参照）。この場合（ステップＳ５で、Ｙｅｓ）、処理がステップＳ６に移行する。
【００４９】
また、判定部１１ｅは、第２特定ジョブ〜第１０特定ジョブの各々が４回数以上実行されたか否かを判定する。第２特定ジョブ〜第１０特定ジョブの各々の実行回数は、４回未満である（図８参照）。この場合（ステップＳ５で、Ｎｏ）、処理がステップＳ１０に移行する。
【００５０】
ステップＳ６において、複合機能作成部１１ｃは、第ｎ複合機能を作成する。第１実施形態では、複合機能作成部１１ｃは、第１複合機能を作成する。第１複合機能は、第１特定ジョブで実現される特定の２つ以上の機能（図８参照）で構成される。従って、第１複合機能は、第１機能と、第２機能とで構成される。
【００５１】
ステップＳ７において、制御部１１ａは、第ｎ複合プログラムを作成する。第１実施形態では、制御部１１ａは、第１複合プログラムを作成する。第１複合プログラムは、第１複合機能（第１機能、及び第２機能）を実現するためのプログラムを示す。第１複合プログラムは、第１プログラムα１と第２プログラムα２とを組み合わせたプログラムである。第１プログラムα１は、第１機能を実現するためのプログラムを示す。第２プログラムα２は、第２機能を実現するためのプログラムを示す。従って、第１複合プログラムが実行されると、第１機能と第２機能とが実現される。
【００５２】
ステップＳ８において、制御部１１ａは、第ｎ複合プログラムを記憶部１０に記憶させる。第１実施形態では、制御部１１ａは、第１複合プログラムを記憶部１０に記憶させる。
【００５３】
図９は、第１複合機能の作成後の選択画面３ｃを示す図である。図６、及び図９を参照して、ステップＳ９について説明する。
【００５４】
図６、及び図９に示すように、ステップＳ９において、選択画面３ｃが第ｎ複合機能を表示するように、制御部１１ａが表示部３ａを制御する。第１実施形態では、選択画面３ｃが第１複合機能を表示するように、制御部１１ａが表示部３ａを制御する。詳細には、選択画面３ｃが、複数の機能（第１機能〜第５機能）と、第１複合機能とを表示するように、制御部１１ａが表示部３ａを制御する。また、制御部１１ａは、第１複合機能と、第１複合プログラムとを対応付ける。つまり、入力部３を介して第１複合機能が選択されると、制御部１１ａが第１複合プログラムを実行して、第１機能と第２機能とを実現する。ユーザーは、例えば、選択画面３ｃ上の第１複合機能の表示をタッチ操作して、第１複合機能を選択し、第１機能と第２機能とを実現させる。
【００５５】
図６に示すように、ステップＳ１０において、第１特定ジョブ〜第１０特定ジョブの全てに対し、ステップＳ５に示す処理が実施されたか否かを、制御部１１ａが判定する。
【００５６】
第１特定ジョブ〜第１０特定ジョブの全てに対し、ステップＳ５に示す処理が実施されていない場合（ステップＳ１０でＮｏ）、処理がステップＳ５に移行する。
第１特定ジョブ〜第１０特定ジョブの全てに対し、ステップＳ５に示す処理が実施された場合（ステップＳ１０でＹｅｓ）、処理がステップＳ１１に移行する。
【００５７】
ステップＳ１１において、通知部１１ｄは、複合機能が作成されたか否かを判定する。具体的には、ステップＳ６に示す処理が実行され、最新の複合機能が作成されたか否かを、通知部１１ｄが判定する。
【００５８】
複合機能が作成されていない場合（ステップＳ１１でＮｏ）、処理が終了する。
複合機能が作成された場合（ステップＳ１１でＹｅｓ）、処理がステップＳ１２に移行する。第１実施形態では、第１複合機能が作成される（ステップＳ６参照）。従って、処理がステップＳ１２に移行する。
【００５９】
ステップＳ１２において、通知部１１ｄは、複合機能が作成されたことをユーザーに通知する。具体的には、複合機能作成部１１ｃが複合機能を作成すると、複合機能が作成されたことを示す情報を表示部３ａが表示するように、通知部１１ｄが表示部３ａを制御する。その結果、ユーザーは、表示部３ａを介して、複数の機能に、複合機能が追加されたことを認識することが可能である。
【００６０】
表示部３ａが表示する情報は、例えば、「最新の複合機能が追加されました」というような文言を示す。第１実施形態では、第１複合機能が作成される（ステップＳ６参照）。従って、表示部３ａは、例えば、「第１複合機能が追加されました」というような文言を表示する。
【００６１】
また、通知部１１ｄは、複合機能が作成されたことを示す情報を、所定のタイミングで表示部３ａに表示する。所定のタイミングは、例えば、（ａ）複合機能作成部１１ｃにより複合機能が作成されてから、画像形成装置１００が最初に起動するタイミング、（ｂ）複合機能作成部１１ｃにより複合機能が作成されてから、画像形成装置１００が最初にスリープ状態から復帰するタイミング、（ｃ）一定期間が経過する毎（例えば、一か月毎）に、複合機能作成部１１ｃにより最新の複合機能が作成されたが否かを通知部１１ｄが判定し、最新の複合機能が作成されたと通知部１１ｄが判定したタイミング、及び／又は、（ｄ）複合機能作成部１１ｃにより複合機能が作成されてから、ユーザーが最初に画像形成装置１００にログインしたタイミングを示す。
【００６２】
以上、図５〜図９を参照して説明したように、判定部１１ｅは、特定ジョブが所定回数以上実行されたか否かを判定する。そして、判定部１１ｅの判定結果に基づいて、複合機能作成部１１ｃが複合機能を作成する。複合機能は、特定の２つ以上の機能で構成される。従って、入力部３を介して１つの機能（複合機能）を選択すると、特定の２つ以上の機能を実現することができる。その結果、ジョブを示す情報を円滑に入力することができる。
【００６３】
また、特定ジョブが所定回数以上実行されると、複合機能が作成される。従って、複合機能が無駄に多く作成されることを抑制でき、使用頻度の高い複合機能を作成することができる。その結果、機能の選択時に、所望の機能の検索に要する労力の増加を抑制することができ、ジョブを示す情報を円滑に入力することができる。
【００６４】
また、情報作成部１１ｂは、最新のジョブ情報１４ｆを作成し、最新のジョブ情報１４ｆをジョブ記録１３に追加して、最新のジョブ記録１３ａを作成する。従って、判定部１１ｅが最新のジョブ記録１３ａに基づいて特定ジョブの実行回数を算出することができる。その結果、判定部１１ｅが特定ジョブの実行回数を算出する際、最新のジョブを反映させることが可能である。
【００６５】
また、情報作成部１１ｂが最新のジョブ記録１３ａを作成すると、判定部１１ｅは、最新のジョブ記録１３ａに基づいて、特定ジョブが所定回数以上実行されたか否かを判定する。従って、最新のジョブが実行される毎に、複合機能を作成可能であるか否かを確認することができる。
【００６６】
また、複合機能作成部１１ｃが複合機能を作成すると、制御部１１ａが複合プログラムを作成する。複合プログラムは、特定の２つ以上の機能を実現するプログラムを示す。そして、制御部１１ａは、複合機能と、複合プログラムとを対応付ける。つまり、入力部３を介して複合機能が選択されると、制御部１１ａが特定の２つ以上の機能を実現する。詳細には、入力部３を介して複合機能が選択されると、制御部１１ａが複合プログラムを実行して、特定の２つ以上の機能を実現する。従って、入力部３を介して１つの機能（複合機能）を選択すると、特定の２つ以上の機能を実現することができる。その結果、ジョブを示す情報を円滑に入力することができる。
【００６７】
また、複合機能作成部１１ｃが複合機能を作成すると、選択画面３ｃが複合機能を表示するように、制御部１１ａが表示部３ａを制御する。そして、複合機能が入力部３を介して選択されると、制御部１１ａが特定の２つ以上の機能を実現する。従って、ユーザーは、選択画面３ｃに表示される複合機能を確認し、入力部３を介して複合機能を選択することが可能である。
【００６８】
［第２実施形態］
図１０を参照して、本発明の第２実施形態である画像形成システム２００について説明する。図１０は、画像形成システム２００を示す図である。
【００６９】
図１０に示すように、画像形成システム２００は、複数の画像形成装置Ｚと、サーバー装置２０とを備える。複数の画像形成装置Ｚは、ネットワーク３００を介して、サーバー装置２０と通信可能に接続される。
【００７０】
複数の画像形成装置Ｚの各々は、通信機能を有する。複数の画像形成装置Ｚの各々は、ネットワーク３００を介して、サーバー装置２０との間で種々の情報の送受信を行う。複数の画像形成装置Ｚは、画像形成装置１００、画像形成装置１０１及び画像形成装置１０２を備える。画像形成装置１０１及び画像形成装置１０２は、画像形成装置１００（図１参照）と略同一の構成を有する。従って、画像形成装置１０１及び画像形成装置１０２の説明は省略する。なお、複数の画像形成装置Ｚの各々の入力部３は、複合機能の名称の入力を受け付ける。
【００７１】
サーバー装置２０は、通信機能を有する。また、サーバー装置２０は、サーバー記憶部（第２記憶部）２１と、サーバー制御部（決定部）２２とを有する。
【００７２】
サーバー記憶部２１は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）を含み、補助記憶装置（例えば、ハードディスクドライブ）をさらに含んでもよい。主記憶装置及び／又は補助記憶装置は、サーバー制御部２２によって実行される種々のサーバープログラム（コンピュータープログラム）を記憶する。また、サーバー記憶部２１は、名称情報２３を記憶する。
【００７３】
サーバー制御部２２は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなサーバープロセッサーを含む。サーバー制御部２２は、サーバー装置２０の各要素を制御する。具体的には、サーバープロセッサーは、サーバー記憶部２１に記憶されたサーバープログラムを実行することにより、サーバー記憶部２１のようなサーバー装置２０の各要素を制御する。
【００７４】
ネットワーク３００は、例えば、インターネットである。ネットワーク３００は、インターネットに限定されない。ネットワーク３００が、ＬＡＮ（Ｌｏｃａｌ  Ａｒｅａ  Ｎｅｔｗｏｒｋ）でもよい。
【００７５】
次に、図１１を参照して、名称情報２３について説明する。図１１は、名称情報２３を示す図である。
【００７６】
図１１に示すように、名称情報２３は、過去に作成された複合機能毎に、名称を対応付けた情報を示す。つまり、名称情報２３は、過去に作成された複数の複合機能のそれぞれに対して決定された名称を示す。複数の名称の各々は、過去に、ユーザーのような人が付与した名称を示す。つまり、複数の複合機能は、それそれ、複数の名称と対応している。名称情報２３は、複数の対応情報２３ａを含む。対応情報２３ａは、過去に作成された複合機能と、複合機能に対し過去に付与された名称とを対応付けた情報を示す。
【００７７】
名称情報２３において、過去に作成された複合機能は、過去に、第１の画像形成装置で作成された複合機能を示す。第１の画像形成装置は、複数の画像形成装置Ｚのうちのいずれかを示す。また、名称情報２３において、複合機能毎に対応付けられた名称は、過去に、第１の画像形成装置で作成された複合機能に対して付与された名称を示す。つまり、名称情報２３の複数の名称の各々は、過去に、第１の画像形成装置のユーザーが入力部３を介して付与した名称を示す。
【００７８】
次に、図１、図１０、及び図１１を参照して、名称情報２３に対応情報２３ａが蓄積される手順（ｉ）〜（ｖ）について説明する。
【００７９】
（ｉ）図１及び図２に示すように、第１の画像形成装置の複合機能作成部１１ｃが複合機能を作成すると、ユーザーは、第１の画像形成装置の入力部３を介して複合機能に名称を付与する。
【００８０】
（ｉｉ）第１の画像形成装置の制御部１１ａは、対応情報２３ａを作成する。そして、第１の画像形成装置の制御部１１ａは、対応情報２３ａをサーバー制御部２２に送信する。対応情報２３ａは、複合機能と、ユーザーが複合機能に付与した名称とを対応付けた情報を示す。
【００８１】
（ｉｉｉ）サーバー制御部２２は、対応情報２３ａを、ネットワーク３００を介して受信する。
【００８２】
（ｉｖ）サーバー制御部２２は、対応情報２３ａをサーバー記憶部２１に記憶し、名称情報２３に追加する。
【００８３】
（ｖ）図１１に示すように、（ｉ）〜（ｉｖ）に示す処理が繰り返されることで、複数の対応情報２３ａが名称情報２３に蓄積される。
【００８４】
次に、図１２〜図１４を参照して、制御装置１１の動作について説明する。図１２は、制御装置１１の動作を示す第３のフローチャートである。
【００８５】
図１２に示すように、第３のフローチャートは、第１実施形態の第１のフローチャート（図５参照）のステップＳ４に示す処理に続いて実行される処理を示す。つまり、画像形成システム２００では、第１実施形態の第２のフローチャートに示す処理（図６参照）に代えて、第３のフローチャートに示す処理が実行される。第３のフローチャートに示す処理は、複合機能に名称を付与する処理を含む点で、第２のフローチャートに示す処理と異なる。
【００８６】
第３のフローチャートにおいて、ステップＳ５〜ステップＳ８に示す処理、及びステップＳ１０〜ステップＳ１２に示す処理は、第２のフローチャートに示す処理と同様である。以下では、ステップＳ１３及びステップＳ１４に示す処理を中心に説明する。
【００８７】
図１２に示すように、ステップＳ８に示す処理が終了すると、処理がステップＳ１３に移行する。ステップＳ１３において、名称付与処理が実行される。
【００８８】
図１３は、名称付与処理を示すフローチャートである。図１１〜図１３を参照して、名称付与処理について説明する。
【００８９】
図１３に示すように、ステップＳ１３１において、制御部１１ａは、サーバー制御部２２に対し、第ｎ複合機能が作成されたことを示す第１作成情報を送信する。
【００９０】
第２実施形態では、制御部１１ａは、サーバー制御部２２に対し、第１複合機能が作成されたことを示す第１作成情報を送信する。具体的には、制御部１１ａは、サーバー制御部２２に対し、ネットワーク３００を介して、第１複合機能が作成されたことを示す第１作成情報を送信する。
【００９１】
ステップＳ１３２において、サーバー制御部２２は、ネットワーク３００を介して第１作成情報を受信する。
【００９２】
ステップＳ１３３において、サーバー制御部２２は、第ｎ複合機能の名称を決定する。第２実施形態では、サーバー制御部２２は、第１複合機能の名称を決定する。サーバー制御部２２は、名称情報２３（図１１参照）に基づいて、第１複合機能の名称を決定する。図１１に示すように、名称情報２３において、第１複合機能は、名称Ｌ１と対応づけられる。従って、サーバー制御部２２は、第１複合機能の名称を、名称Ｌ１に決定する。
【００９３】
ステップＳ１３４において、サーバー制御部２２は、第ｎ複合機能の名称を示す情報を、ネットワーク３００を介して、制御部１１ａに送信する。第２実施形態では、サーバー制御部２２は、第１複合機能の名称Ｌ１を示す情報を、ネットワーク３００を介して制御部１１ａに送信する。
【００９４】
ステップＳ１３５において、制御部１１ａは、第ｎ複合機能の名称を示す情報を、ネットワーク３００を介してサーバー制御部２２から受信する。第２実施形態では、制御部１１ａは、第１複合機能の名称Ｌ１を示す情報を、ネットワーク３００を介してサーバー制御部２２から受信する。
【００９５】
ステップＳ１３６において、制御部１１ａは、第ｎ複合機能に名称を付与する。具体的には、制御部１１ａは、第ｎ複合機能と、サーバー制御部２２により決定された第ｎ複合機能の名称とを対応づける。
【００９６】
第２実施形態では、制御部１１ａは、第１複合機能に名称Ｌ１を付与する。従って、制御部１１ａは、第１複合機能と、サーバー制御部２２により決定された第１複合機能の名称Ｌ１とを対応づける。
【００９７】
ステップＳ１３６に示す処理が終了すると、処理がステップＳ１４に移行する。
【００９８】
図１４は、第１複合機能に名称Ｌ１が付与された後の選択画面３ｃを示す図である。図１２、及び図１４を参照して、ステップＳ１４について説明する。
【００９９】
図１２、及び図１４に示すように、ステップＳ１４において、選択画面３ｃが第ｎ複合機能の名称を表示するように、制御部１１ａが表示部３ａを制御する。
第２実施形態では、選択画面３ｃが第１複合機能の名称Ｌ１を表示するように、制御部１１ａが表示部３ａを制御する。詳細には、選択画面３ｃが、複数の機能（第１機能〜第５機能）と、第１複合機能の名称Ｌ１とを表示するように、制御部１１ａが表示部３ａを制御する。また、制御部１１ａは、第１複合機能の名称Ｌ１と、第１複合プログラムとを対応付ける。つまり、入力部３を介して第１複合機能の名称Ｌ１が選択されると、制御部１１ａが第１複合プログラムを実行して、第１機能と第２機能とを実現する。ユーザーは、例えば、選択画面３ｃ上の第１複合機能の名称Ｌ１の表示をタッチ操作して、第１複合機能の名称Ｌ１を選択し、第１機能と第２機能とを実現させる。
【０１００】
ステップＳ１４に示す処理が終了すると、処理がステップＳ１０に移行する。
【０１０１】
以上、図１２〜図１４を参照して説明したように、複合機能作成部１１ｃが最新の複合機能を作成すると、サーバー制御部２２は、名称情報２３に基づいて、最新の複合機能の名称を決定する。また、名称情報２３において、所定の複合機能に対応付けられた名称を、サーバー制御部２２が、最新の複合機能の名称に決定する。所定の複合機能は、最新の複合機能と同一の複合機能を示す。従って、ユーザーが最新の複合機能に名称を付与する労力を軽減することが可能である。
【０１０２】
また、名称情報２３において、複合機能毎に対応付けられた名称は、過去に、ユーザーのような人が付与した名称を示す。従って、サーバー制御部２２が最新の複合機能に名称を決定する際、ユーザーによって実際に使用されている名称を決定することができる。その結果、最新の複合機能に対し、直感的にわかりやすい名称を決定することができる。
【０１０３】
また、サーバー制御部２２が複合機能の名称を決定すると、選択画面３ｃが複合機能の名称を表示するように、制御部１１ａが表示部３ａを制御する。そして、複合機能の名称が入力部３を介して選択されると、制御部１１ａが特定の２つ以上の機能を実現する。従って、ユーザーは、選択画面３ｃに表示される複合機能の名称を確認し、入力部３を介して複合機能の名称を選択することが可能である。
【０１０４】
以上、図面（図１〜図１４）を参照しながら本発明の実施形態について説明した。但し、本発明は、上記の実施形態に限られるものではなく、その要旨を逸脱しない範囲で種々の態様において実施することが可能である（例えば、（１）〜（３））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【０１０５】
（１）本実施形態では、画像形成装置Ｚはトナー像をシートに形成する。しかし、本発明はこれに限定されない。画像形成装置Ｚは、シートに画像を形成する機能を有していればよい。画像形成装置Ｚは、例えば、インクジェット方式のプリンターであってもよい。また、画像形成装置Ｚは、プリンター単体に限らず、複写機、ファクシミリ装置、及び複合機でもよい。
【０１０６】
（２）本実施形態では、特定ジョブが所定回数以上実行され、複合機能作成部１１ｃが最新の複合機能を作成すると、サーバー制御部２２が、最新の複合機能の名称を決定する。しかし、本発明は、これに限定されない。
【０１０７】
複合機能作成部１１ｃが最新の複合機能を作成すると、サーバー制御部２２が、最新の複合機能の名称を決定してもよい。つまり、特定ジョブが所定回数以上実行されたか否かに関係なく、複合機能作成部１１ｃが最新の複合機能を作成すると、サーバー制御部２２が、最新の複合機能の名称を決定してもよい。
【０１０８】
以下では、特定ジョブが所定回数以上実行さたか否かに関係なく、サーバー制御部２２が最新の複合機能の名称を決定する手順の一例（２−１）〜（２−５）について説明する。（２−１）〜（２−５）において、ユーザーが、入力部３を介して最新の複合機能を作成すると、サーバー制御部２２が最新の複合機能の名称を決定する。
【０１０９】
（２−１）画像形成装置１００の入力部３は、複合機能を作成することを示す第２作成情報の入力を受け付ける。つまり、ユーザーが、入力部３を介して第２作成情報を入力する。第２作成情報は、例えば、第１機能と第２機能とを複合させるというような、複数の機能のうち、特定の２つ以上の機能を複合させることを指示する情報を示す。
【０１１０】
（２−２）第２作成情報が画像形成装置１００の入力部３を介して入力されると、画像形成装置１００の複合機能作成部１１ｃが、第２作成情報に基づいて、最新の複合機能を作成する。つまり、複合機能作成部１１ｃが、第２作成情報で指示された複合機能を作成する。
【０１１１】
（２−３）制御部１１ａは、サーバー制御部２２に対し、ネットワーク３００を介して、最新の複合機能が作成されたことを示す第３作成情報を送信する。
【０１１２】
（２−４）サーバー制御部２２は、ネットワーク３００を介して、第３作成情報を受信する。
【０１１３】
（２−５）サーバー制御部２２は、名称情報２３に基づいて、最新の複合機能の名称を決定する。なお、サーバー制御部２２は、上記ステップＳ１３３に示す手順と同様の手順で、最新の複合機能の名称を決定する。そして、（２−５）に示す処理が終了すると、上記ステップＳ１３４〜ステップＳ１４に示す処理（図１３参照）が実行される。この場合、上記ステップＳ１３４以降に示す第ｎ複合機能は、最新の複合機能を示す。
【０１１４】
以上、画像形成システム２００は、画像形成装置１００と、サーバー記憶部（第２記憶部）２１と、サーバー制御部（決定部）２２とを備える。画像形成装置１００は、複数の機能を実現可能である。画像形成装置１００は、複合機能作成部１１ｃを備える。複合機能作成部１１ｃは、複数の機能のうち、特定の２つ以上の機能で構成される複合機能を作成する。サーバー記憶部２１は、名称情報２３を記憶する。名称情報２３は、過去に作成された複合機能毎に、名称を対応付けた情報を示す。複合機能作成部１１ｃが最新の複合機能を作成すると、サーバー制御部２２は、名称情報２３に基づいて、最新の複合機能の名称を決定する。従って、ユーザーが最新の複合機能に名称を付与する労力を軽減することが可能である。
【０１１５】
また、複合機能を作成することを示す第２作成情報が入力部３を介して入力されると、複合機能作成部１１ｃが、第２作成情報に基づいて、最新の複合機能を作成する。そして、複合機能作成部１１ｃが最新の複合機能を作成すると、サーバー制御部２２は、名称情報２３に基づいて、最新の複合機能の名称を決定する。従って、ユーザーが複合機能を作成すると、サーバー制御部２２が複合機能の名称を決定する。その結果、ユーザーが最新の複合機能に名称を付与する労力を軽減することが可能である。
【０１１６】
（３）第２実施形態では、名称情報２３において、所定の複合機能に対応付けられた名称を、サーバー制御部２２が、最新の複合機能の名称に決定する。所定の複合機能は、最新の複合機能と同一の複合機能を示す。しかし、本発明は、これに限定されない。以下、サーバー制御部２２が、最新の複合機能の名称を決定する構成の一例（３−１）〜（３−５）について説明する。
【０１１７】
（３−１）名称情報２３において、所定の複合機能に対応付けられた名称が複数ある場合、複数の名称のうち、登録回数が最も多い名称を、サーバー制御部２２が、最新の複合機能の名称に決定する。登録回数が最も多い名称は、上記（ｉｉ）に示す処理おいて、第１の画像形成装置からサーバー制御部２２に送信された回数が最も多い名称を示す。つまり、登録回数が最も多い名称は、過去に、ユーザーによって付与された回数が最も多い名称を示す。
【０１１８】
（３−２）名称情報２３において、所定の複合機能に対応付けられた名称が複数ある場合、複数の名称のうち、登録日時が最新の名称を、サーバー制御部２２が、最新の複合機能の名称に決定する。登録日時が最新の名称は、上記（ｉｉ）に示すように、第１の画像形成装置からサーバー制御部２２に送信された名称のうち、送信された日時が最新の名称を示す。
【０１１９】
（３−３）名称情報２３において、所定の複合機能に対応付けられた名称が複数ある場合、複数の名称を組み合わせた名称を、サーバー制御部２２が、最新の複合機能の名称に決定する。例えば、名称情報２３において、所定の複合機能に対応付けられた名称が「Ｌ１１」と、「Ｌ１２」とである場合、「Ｌ１１＋Ｌ１２」を、サーバー制御部２２が、最新の複合機能の名称に決定する。
【０１２０】
（３−４）名称情報２３において、所定の複合機能に対応付けられた名称が複数ある場合、複数の名称のうちいずれかが、入力部３を介して選択される。そして、複数の名称のうち、入力部３を介して選択された名称を、制御部１１ａが、最新の複合機能に決定する。
【０１２１】
（３−５）サーバー制御部２２は、類似文書検索手法を用いて、名称情報２３に含まれる複数の複合機能のうち、最新の複合機能に最も類似する文言を有する複合機能である類似機能を算出する。そして、名称情報２３において、類似機能に対応付けられた名称を、サーバー制御部２２が、最新の複合機能の名称に決定する。類似文書検索手法は、例えば、ＴＦ−ＩＤＦ  Ｃｏｓ類似度推定法のような、文書同士の類似度を算出する手法を示す。従って、類似文書検索手法を用いることで、名称情報２３に最新の複合機能と同一の複合機能が含まれていない場合でも、サーバー制御部２２が、最新の複合機能の名称を決定することが可能である。
【産業上の利用可能性】
【０１２２】
本発明は、シートに画像を形成する画像形成装置、及び画像形成システムの分野に利用可能である。
【符号の説明】
【０１２３】
３      入力部
３ａ    表示部
３ｃ    選択画面
１０    記憶部（第１記憶部）
１１ａ  制御部
１１ｂ  情報作成部
１１ｃ  複合機能作成部
１１ｄ  通知部
１３    ジョブ記録
１４    ジョブ情報
２１    サーバー記憶部（第２記憶部）
２２    サーバー制御部（決定部）
２３    名称情報
１００  画像形成装置
２００  画像形成システム
【図１】
2019118052.tif 000003
【図２】
2019118052.tif 000004
【図３】
2019118052.tif 000005
【図４】
2019118052.tif 000006
【図５】
2019118052.tif 000007
【図６】
2019118052.tif 000008
【図７】
2019118052.tif 000009
【図８】
2019118052.tif 000010
【図９】
2019118052.tif 000011
【図１０】
2019118052.tif 000012
【図１１】
2019118052.tif 000013
【図１２】
2019118052.tif 000014
【図１３】
2019118052.tif 000015
【図１４】
2019118052.tif 000016